(57)【特許請求の範囲】
【請求項１】
キャビネット内に、回路基板と、該回路基板に設けられて押圧操作される作動片を有するスイッチを具え、
キャビネット上には、前記作動片を押圧する操作釦が出没可能に設けられ、操作釦の出没方向は、前記作動片の被押圧方向及び前記回路基板に対して傾いており、
前記スイッチの作動片と前記操作釦との間には、前記作動片と前記操作釦の両方に接するレバーが前記回路基板に対して揺動自在に設けられ、
前記操作釦と前記レバーが接する位置と前記レバーと前記作動片が接する位置は、前記操作釦の出没方向に沿って並び、
前記レバーは、前記操作釦の押し込み動作を受けて、前記作動片を前記回路基板に略直交した向きに押すことを特徴とするスイッチ構造。
【請求項２】
前記レバーの下面にて、前記作動片の押圧操作箇所は球面に形成された請求項１に記載のスイッチ構造。
【請求項３】
前記レバー上にて前記操作釦との当接箇所の近傍には、前記操作釦が前記レバー上にて滑ることを防ぐ壁片が設けられている請求項１又は２に記載のスイッチ構造。
【請求項４】
請求項１乃至３の何れかに記載のスイッチ構造を用いた電気機器。
【発明の詳細な説明】
【技術分野】
【０００１】
本発明は、押圧操作されるスイッチを具えた電気機器に関する。
【背景技術】
【０００２】
図５(a)、(b)は、従来の電気機器の断面図である(特許文献１参照)。キャビネット(１)内には回路基板(５)が略水平に設けられ、該回路基板(５)上にはスイッチ(３)が設けられている。該スイッチ(３)はスイッチ本体(31)の上面に作動片(30)を出没可能に設け、該作動片(30)はスイッチ本体(31)に内蔵されたバネ(図示せず)により上向きに付勢されている。
キャビネット(１)上に開設された透孔(10)には、使用者によって押される操作釦(２)が出没可能に設けられ、操作釦(２)の下端部は作動片(30)を押す押圧面(25)を形成している。操作釦(２)の出没方向は回路基板(５)に対して傾いており、押圧面(25)は回路基板(５)に略平行である。
図５(a)に示す状態から、使用者が操作釦(２)を下向きに押すと、図５(b)に示すように、操作釦(２)の押圧面(25)は作動片(30)の上面を摺動して、作動片(30)を下向きに押し込む。押圧面(25)が、操作釦(２)の出没方向に対して傾き、水平面内に位置していることにより、作動片(30)は正確に下向きに押される。使用者が操作釦(２)から手を離すと、スイッチ本体(31)内のバネにより作動片(30)が復帰し、該作動片(30)に押されて、操作釦(２)は図５(a)に示す位置に戻る。
【０００３】
【特許文献１】実開平６−８２７２８号公報
【発明の開示】
【発明が解決しようとする課題】
【０００４】
図５(a)、(b)に示す構成では、操作釦(２)の押圧操作の度に、操作釦(２)の押圧面(25)は作動片(30)の上面を摺動する。従って、操作釦(２)を頻繁に押圧すると、作動片(30)の上面が摩耗し、スイッチ(３)の信頼性を損ねる虞れがある。
また、スイッチ(３)の中には、作動片(30)の上面がスイッチ本体(31)の上面と同一面内に位置するものがあり、かかるスイッチ(３)には図５(a)、(b)に示すような作動片(30)の上面を摺動する構成を用いることはできない。
本発明の目的は、スイッチ(３)が設けられた回路基板(５)に対して操作釦(２)の出没方向が傾いたスイッチ構造に於いて、作動片(30)を確実に押すと共に、作動片(30)の摩耗を防ぎ、スイッチ(３)の信頼性を高めることにある。
【課題を解決するための手段】
【０００５】
キャビネット(１)内に、略水平に配置された回路基板(５)と、該回路基板(５)に設けられて押圧操作される作動片(30)を有するスイッチ(３)を具え、
キャビネット(１)上には、作動片(30)を押圧する操作釦(２)が出没可能に設けられ、操作釦(２)の出没方向は、作動片(30)の被押圧方向及び回路基板(５)に対して傾いており、
スイッチ(３)の作動片(30)と操作釦(２)との間には、作動片(30)と操作釦(２)の両方に接するレバー(４)が回路基板(５)に対して揺動自在に設けられ、
該レバー(４)は、操作釦(２)の押し込み動作を受けて、作動片(30)を回路基板(５)に略直交した向きに押す。
レバー(４)の下面にて、作動片(30)の押圧操作箇所は球面(40)に形成されている。
【発明の効果】
【０００６】
操作釦(２)の出没方向は、作動片(30)の被押圧方向及び回路基板(５)に対して傾いている、即ち水平方向に対して斜めになっている。
操作釦(２)を押し込むと、操作釦(２)によってレバー(４)が揺動して、該レバー(４)が作動片(30)を押圧する。該レバー(４)は、操作釦(２)の押し込み動作を受けて、作動片(30)を回路基板(５)に略直交した向きに押す。作動片(30)は正確な向きに押圧される。即ち、回路基板(５)に対して操作釦(２)の出没方向が傾いていても、回路基板(５)上のスイッチ(３)を正しく押圧操作できる。
本発明にあっては、作動片(30)はレバー(４)を介して押し込まれるから、従来のように操作釦(２)が直接に作動片(30)上を摺動することはなく、作動片(30)の摩耗を防ぎ、スイッチ(３)の信頼性を高めることができる。特に、レバー(４)の下面にて、作動片(30)の押圧操作箇所を球面(40)に形成すれば、レバー(４)と作動片(30)の接触面積を小さくでき、更に作動片(30)の摩耗を防ぐことができる。
また、作動片(30)はレバー(４)によって確実に押し込まれるから、本発明の構成は、作動片(30)の上面がスイッチ本体(31)の上面と同一面内に位置するスイッチ(３)にも適用できる。
【発明を実施するための最良の形態】
【０００７】
以下、本発明の一実施例を図を用いて詳述する。
図１は、本例に係わるスイッチ構造が用いられる電気機器、具体的にはデジタルカメラの斜視図であり、図２は、図１をＡ−Ａ線を含む面にて破断した断面図である。キャビネット(１)の天面には手回しダイアル(12)が、キャビネット(１)の前面には対物レンズ(13)が、周知の如く設けられている。キャビネット(１)の上端部は、デザイン上の理由から前面及び天面に対して傾いた傾斜面(11)を形成しており、該傾斜面(11)上にシャッタ釦である操作釦(２)が設けられている。
【０００８】
図２に示すように、操作釦(２)は、キャビネット(１)に開設された透孔(10)及びキャビネット(１)に一体に設けられたガイド筒(14)に嵌まって、キャビネット(１)に対し出没自在に設けられている。操作釦(２)はキャビネット(１)の内面に接する鍔体(21)及びガイド筒(14)に嵌まる軸体(20)を設けて、ガイド筒(14)とキャビネット(１)の内面との間には、操作釦(２)をキャビネット(１)の外側に付勢するバネ(22)が配備されている。操作釦(２)が操作されない状態では、操作釦(２)がバネ(22)付勢されて、鍔体(21)がキャビネット(１)の裏面に接して透孔(10)から抜けることを防止している。
【０００９】
キャビネット(１)の内側には、回路基板(５)が略水平に配備され、該回路基板(５)に対し別の基板であるマザーボード(50)がコネクタ(51)によって接続される。回路基板(５)とマザーボード(50)は略直交している。
該回路基板(５)上には、軸体(20)の先端部に略対向してスイッチ(３)が設けられている。スイッチ(３)は、スイッチ本体(31)内に作動片(30)を出没可能に設けた従来と同様の構成であり、作動片(30)が押される方向、即ち被押圧方向は下向きであって、回路基板(５)に略垂直である。
回路基板(５)上にて、スイッチ(３)と操作釦(２)の軸体(20)との間には、軸体(20)に下向きに押されるレバー(４)が配備され、該レバー(４)に接する軸体(20)の先端部は丸く形成されている。レバー(４)の先端部は該軸体(20)の先端部とスイッチ(３)の作動片(30)との間に位置している。
【００１０】
レバー(４)上にて操作釦(２)との当接箇所の近傍には、軸体(20)の先端部がレバー(４)上にて滑ることを防ぐ壁片(43)が設けられている。仮に壁片(43)がないと、軸体(20)の先端部がレバー(４)上にて滑り、スイッチ(３)を押圧した際のクリック感がバラ付く虞れがあるが、壁片(43)を設けていることにより、クリック感のバラ付きを抑えている。
図３は、レバー(４)の斜視図である。レバー(４)は基端部(41)が回路基板(５)上に固定されて、先端部(42)が回路基板(５)に対して揺動自在に設けられている。レバー(４)は合成樹脂製であって、軸体(20)によって先端部(42)が押されても、軸体(20)が先端部(42)から離れれば、撓み復帰する。レバー(４)の下面にて、作動片(30)の押圧操作箇所は球面(40)に形成されており、レバー(４)と作動片(30)の接触面積を小さくしている。
【００１１】
(操作時)
図４(a)は、押圧操作される前の操作釦(２)を、図４(b)は、押圧操作された操作釦(２)を示す断面図である。図４(b)に示すように、使用者がバネ(22)に抗して操作釦(２)を指で下向きに押圧すると、軸体(20)の先端部がレバー(４)の先端部(42)を押して撓み変形させる。軸体(20)の先端部は丸く形成されているから、レバー(４)は傷付きにくい。軸体(20)の押圧方向は、前記の如く、回路基板(５)及び作動片(30)の被押圧方向(即ち、下方向)に対して傾いている。軸体(20)の先端部は壁片(43)に接して、レバー(４)上を滑ることを防止される。
レバー(４)の下面に設けられた球面(40)は、スイッチ(３)の作動片(30)を押し込み、スイッチ(３)をＯＮにする。このとき、レバー(４)の先端部(42)は基端部(41)を中心として下向きに揺動する、即ち、レバー(４)は、操作釦(２)の押し込み動作を受けて、作動片(30)を回路基板(５)に略直交した下向きに押す。換言すれば、操作釦(２)を回路基板(５)に対して斜めに押し込んでも、スイッチ(３)の作動片(30)は真っ直ぐ下向きに押される。操作釦(２)はシャッタ釦であるから、スイッチ(３)がＯＮとなると、画像が撮像される。
使用者が操作釦(２)から指を離すと、バネ(22)によって操作釦(２)が下の位置に戻る。レバー(４)は撓み復帰し、スイッチ(３)はＯＦＦとなる。
【００１２】
上記の如く、デザイン上の理由から、操作釦(２)の出没方向は、回路基板(５)及び作動片(30)の被押圧方向に対して傾いている。
操作釦(２)を押し込むと、操作釦(２)によってレバー(４)が揺動して、該レバー(４)が作動片(30)を押圧する。該レバー(４)は、操作釦(２)の押し込み動作を受けて、作動片(30)を回路基板(５)に略直交した向きに押す。作動片(30)は正確な向きに押圧される。即ち、回路基板(５)に対して操作釦(２)の出没方向が傾いていても、回路基板(５)上のスイッチ(３)を正しく押圧操作できる。
本例にあっては、作動片(30)はレバー(４)を介して押し込まれるから、図５(a)、(b)に示す従来例のように操作釦(２)が直接に作動片(30)上を摺動することはなく、作動片(30)の摩耗を防ぎ、スイッチ(３)の信頼性を高めることができる。
特に、レバー(４)の下面にて、作動片(30)の押圧操作箇所を球面(40)に形成すれば、レバー(４)と作動片(30)の接触面積を小さくでき、更に作動片(30)の摩耗を防ぐことができる。
また、作動片(30)はレバー(４)によって確実に押し込まれるから、本発明の構成は、作動片(30)の上面がスイッチ本体(31)の上面と同一面内に位置するスイッチ(３)にも適用できる。
【００１３】
更に、レバー(４)上にて操作釦(２)との当接箇所の近傍に壁片(43)を設けていることにより、軸体(20)の先端部がレバー(４)上にて滑ることを防ぎ、スイッチ(３)を押圧した際のクリック感のバラ付きを抑えている。
また、回路基板(５)は水平であるから、該回路基板(５)に対してマザーボード(50)を直交させて、所謂Board to Board接続にて取り付けることができる。即ち、操作釦(２)の出没方向が回路基板(５)に対して傾いた電気機器に於いて、フレキシブル基板等を用いずに、回路基板(５)とマザーボード(50)を接続することができる。これによって、コスト低減をも図ることができる。
【００１４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
上記例では、電気機器としてデジタルカメラを示したが、デジタルカメラに限定されないことは言うまでもない。
【図面の簡単な説明】
【００１５】
【図１】デジタルカメラの斜視図である。
【図２】図１をＡ−Ａ線を含む面にて破断した断面図である。
【図３】レバーの斜視図である。
【図４】(a)は、押圧操作される前の操作釦を、(b)は、押圧操作された操作釦を示す断面図である。
【図５】従来の電気機器の断面図である。
【符号の説明】
【００１６】
(１)  キャビネット
(２)  操作釦
(３)  スイッチ
(４)  レバー
(５)  回路基板
(30)  作動片
(40)  球面
(43)  壁片
【図１】
0004651480.tif 000002
【図２】
0004651480.tif 000003
【図３】
0004651480.tif 000004
【図４】
0004651480.tif 000005
【図５】
0004651480.tif 000006